(57)【要約】【課題】被撮影者が横を向いても、撮影手段で撮影した画像を確認できる。【解決手段】撮影システムは筐体２０と、前記筐体２０内面のうち一定の幅をもって垂直方向に延びる第１領域内２３Ａに設けられた撮影手段１２と、を備えている。前記筐体２０内面の前記第１領域２３Ａ外の第２領域２３Ｂに前記撮影手段１２で撮影している画像を確認のため表示可能なモニタ１５が設けられている。【選択図】図３
2018180189.tif 000002
【特許請求の範囲】
【請求項１】
囲い体と、
前記囲い体内面のうち一定の幅をもって垂直方向に延びる第１領域内に配置可能な撮影手段と、
前記囲い体内面の前記第１領域外の第２領域に配置可能なモニタとを備え、
前記モニタは前記撮影手段で撮影している画像を確認のため表示する、撮影システム。
【請求項２】
前記モニタは固定されている、請求項１記載の撮影システム。
【請求項３】
前記モニタは前記第１領域と前記第２領域との間で移動可能となる、請求項１記載の撮影システム。
【請求項４】
前記撮影手段は固定されている、請求項１記載の撮影システム。
【請求項５】
前記撮影手段は前記第１領域と前記第２領域との間で移動可能となる、請求項１記載の撮影システム。
【請求項６】
前記撮影手段および前記モニタは、前記第１領域または前記第２領域のうちいずれか一方の同一領域内に配置可能となる、請求項３または５記載の撮影システム。
【請求項７】
操作パネルを更に備え、
前記モニタは、複数のテンプレートから前記操作パネルにより選択された所望のテンプレートとともに、前記画像を表示する、請求項１記載の撮影システム。
【請求項８】
前記撮影手段は連続する複数の画像ショットを作成することができ、
前記モニタは、複数のテンプレートから選択された所望のテンプレートとともに前記画像を表示する、請求項１記載の撮影システム。
【発明の詳細な説明】
【技術分野】
【０００１】
本発明は、被撮影者を撮影する撮影システムに関する。
【背景技術】
【０００２】
従来、被撮影者を撮影する撮影システムが知られている。このような撮影システムは被撮影者が入る筐体を有し、この筐体内に撮影手段（カメラ）と投光部とが設置されている。
【０００３】
また筐体内にはカメラの下方に、カメラで撮影している画像を確認するためのモニタが設置され、被撮影者はこのモニタを確認しながらカメラにより撮影して画像ショットを生成する。この場合、モニタは撮影している画像を確認するための機能と、操作パネルとしての機能も併せもつ。
【０００４】
しかしながら、従来の撮影システムでは、モニタはカメラの下方に位置しているため、被撮影者がカメラに正対している場合は、モニタをみながらカメラで撮影している画像を確認することができるが、被撮影者が横を向いたり、カメラから視線を外す姿勢をとった場合、モニタをみながらカメラで撮影している画像を確認することはむずかしい。
【先行技術文献】
【特許文献】
【０００５】
【特許文献１】特開２００３−２７０７１４号公報
【特許文献２】特開平１１−１９１８５６号公報
【発明の概要】
【発明が解決しようとする課題】
【０００６】
本発明はこのような点を考慮してなされたものであり、被撮影者が横を向いたり、撮影手段から視線を外すような姿勢をとった場合でも、撮影手段で撮影している画像を容易に確認することができる撮影システムを提供することを目的とする。
【課題を解決するための手段】
【０００７】
本発明は、囲い体と、前記囲い体内面のうち一定の幅をもって垂直方向に延びる第１領域内に配置可能な撮影手段と、前記囲い体内面の前記第１領域外の第２領域に配置可能なモニタとを備え、前記モニタは前記撮影手段で撮影している画像を確認のため表示する、撮影システムである。
【０００８】
本発明は、前記モニタは固定されている、撮影システムである。
【０００９】
本発明は、前記モニタは前記第１領域と前記第２領域との間で移動可能となる、撮影システムである。
【００１０】
本発明は、前記撮影手段は固定されている、撮影システムである。
【００１１】
本発明は、前記撮影手段は前記第１領域と前記第２領域との間で移動可能となる、撮影システムである。
【００１２】
本発明は、前記撮影手段および前記モニタは、前記第１領域または前記第２領域のうちいずれか一方の同一領域内に配置可能となる撮影システムである。
【００１３】
本発明は、操作パネルを更に備え、前記モニタは、複数のテンプレートから前記操作パネルにより選択された所望のテンプレートとともに、前記画像を表示する、撮影システムである。
【００１４】
本発明は、前記撮影手段は連続する複数の画像ショットを作成することができ、前記モニタは、複数のテンプレートから選択された所望のテンプレートとともに前記画像を表示する、撮影システムである。
【発明の効果】
【００１５】
本発明によれば、囲い体内の被撮影者が横を向いたり、撮影手段から視線を外すような姿勢をとった場合でも、撮影手段で撮影している画像を容易に確認することができる。
【図面の簡単な説明】
【００１６】
【図１】図１は本実施の形態による撮影システムの外観を示す図。
【図２】図２は撮影システムの機能的構成を示すブロック図。
【図３】図３は筐体内の構成部材の配置状態を示す図。
【図４】図４は撮影システムの作用を示す図。
【図５】図５は撮影システムの撮影作業を示すフローチャート。
【図６】図６（ａ）（ｂ）（ｃ）は、前景と、撮影画像と、後景を示す図。
【図７】図７は合成画像を示す図。
【図８】図８はテンプレート表を示す図。
【発明を実施するための形態】
【００１７】
以下、図面を参照して本発明の実施の形態について説明する。  
図１乃至図８は本発明による撮影システムの一実施の形態を示す図である。
【００１８】
図１乃至図８に示すように、撮影システム１は、底板２１と、天板２２と、側板２３とを有する筐体２０と、筐体２０の側板２３の一側内面に設置されたカメラ（撮影手段）１２および投光部３４と、側板２３の一側内面であってカメラ１２の下方に設置されたモニタ１５と、底板２１上に配置された金属板からなる床面２５とを備えている。ここで、筐体２０は後述する被撮影者Ｐを囲うものであり、囲い体として機能する。囲い体としては、被撮影者Ｐを上下方向および側方全域から囲うものに限らず、前面および後面のみから被撮影者Ｐを囲うものであってもよい。
【００１９】
また底板２１と床面２５との間には図示しない防振装置が介在されている。
【００２０】
次に図３および図４を参照して、筐体２０内の構造について説明する。
【００２１】
筐体２０の側板２３内には、一定の幅をもって垂直方向に延びる第１領域２３Ａと、第１領域２３Ａ以外の第２領域２３Ｂとが形成されている。そして上述したカメラ１２は筐体２０内の第１領域２３Ａに配置され、モニタ１５は筐体２０内の第２領域２３Ｂに配置されている。
【００２２】
具体的には、カメラ１２は筐体２０内の第１領域２３Ａと第２領域２３Ｂとの間に水平方向に延びるガイドレール１２Ａに沿って移動可能となっている。このため、図３において、カメラ１２は第１領域２３Ａに配置されているが、図示しない駆動機構により、カメラ１２を第１領域２３Ａから第２領域２３Ｂまで移動させることができる。
【００２３】
同様に、モニタ１５は筐体２０内の第１領域２３Ａと第２領域２３Ｂとの間に水平方向に延びるガイドレール１５Ａに沿って移動可能となっている。このため図３において、モニタ１５は第２領域２３Ｂに配置されているが、図示しない駆動機構により、モニタ１５を第２領域２３Ｂから第１領域２３Ａまで移動させることができる。
【００２４】
このため図３において、カメラ１２が第１領域２３Ａに配置され、モニタ１５が第２領域２３Ｂに配置されているが、カメラ１２およびモニタ１５の双方を第１領域２３Ａに配置することも可能であり、カメラ１２およびモニタ１５の双方を第２領域２３Ｂに配置することも可能である。
【００２５】
またモニタ１５は、被撮影者Ｐがカメラ１２に正対している場合、あるいは被撮影者Ｐがカメラ１２に対して横を向いたり、カメラ１２から視線を外す姿勢をとったときに、カメラ１２で撮影している画像（撮影画像）を表示して被撮影者Ｐが確認するものであり、かつモニタ１５は被撮影者Ｐが操作するための操作パネルとしても機能する。このためモニタ１５は画像を表示する画像表示部１５ａと、操作パネルとして機能する操作パネル部１５ｂとを有する。
【００２６】
上述のように筐体２０の側板２３の一側内面には、カメラ１２、投光部３４、およびモニタ１５が設置され、側板２３の一側に対向する他側には、入手した画像から被撮影者Ｐの全身を切り抜くクロマキー処理用の背景が設けられている。この場合、クロマキー処理用の背景としては緑色の背景板を用いることができる。
【００２７】
また筐体２０の側板２３の一側には、投光部３４およびモニタ１５の下方に、検知センサ１３と、キャッシャー３３とが上方から下方に向かって順次配置されている。
【００２８】
また筐体２０の側板２３の外面には、プリンタ１７の取出口１７ａが設けられている。
【００２９】
さらに筐体２０内には、制御部１１、記憶部１６、プリンタ１７、Ｉ／Ｏ（Input/Output）ユニット３１、スピーカ３２が内蔵され、このうち制御部１１により画像処理装置１１Ａが構成される。
【００３０】
なお、上述したカメラ１２は被撮影者Ｐの動画を撮影するためのカメラであり、筐体２０内で被撮影者Ｐの静止画像、又は被撮影者Ｐの動画像を得るようになっている。
【００３１】
図２に示すように、制御部１１は、ＣＰＵ（Central Processing Unit）、ＲＡＭ（Random Access Memory）から構成され、記憶部１６に格納されているシステムプログラムや顔画像撮影処理プログラム、画像処理プログラム等の各種プログラムを読み出してＲＡＭに展開し、当該プログラムに従って各部の動作を集中制御する。そして後述するカメラ１２により撮影された画像ににより、制御部１１は一ショット毎の画像ショットを生成する。
【００３２】
カメラ１２は、光学レンズ、ＣＣＤ（Charge Coupled Device）等の光学センサ、Ａ／Ｄ（Analog/Digital）変換部等から構成され、撮影時には光学レンズを介して入力される被写体像を光学センサにより光電変換して画像信号（アナログ）を生成する。そして、Ａ／Ｄ変換部によりアナログ画像信号からデジタル画像データを得て、当該デジタル画像データを制御部１１に出力する。
【００３３】
検知センサ１３は、画像処理装置１の撮影室内に被撮影者Ｐが入室したことを検知する光学センサ等であり、その検知信号を制御部１１に出力する。
【００３４】
モニタ１５は、上述のように、操作パネル部１５ｂを有し、この操作パネル部１５ｂはタッチパネルや、写真種類を選択するための写真種選択スイッチ（以下、ＳＷ）、撮影開始を指示するための撮影ＳＷ、撮影画像のプリント出力を指示するためのプリントＳＷ等の各種機能キーを備えて構成され、操作されたキーに対応する操作信号を制御部１１に出力する。
【００３５】
またモニタ１５の操作パネル部１５ｂは、ＬＣＤ（Liquid Crystal Display）等を備えて構成され、制御部１１からの制御信号に従って、撮影手順を説明するガイド画面、写真種類を選択するための選択画面等の各種操作画面を表示する。またモニタ１５は画像表示部１５ａを有しており、この画像表示部１５ａは、カメラ１２により撮影された被撮影者Ｐの顔画像等を表示する。
【００３６】
記憶部１６は、システムプログラムの他、顔画像撮影処理プログラム、画像処理プログラム等の各種処理プログラム及び各プログラムで処理されたデータ等を記憶する。
【００３７】
プリンタ１７は、制御部１１から入力された画像データに基づいてプリント出力を行う。プリンタ１７のプリント方式としては、色材を昇華、転移させて画像を形成する昇華型転写方式が適用されている。しかしながら、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３８】
Ｉ／Ｏユニット３１は、制御部１１と、スピーカ３２、キャッシャー３３、投光部３４との間で情報のやり取りを仲介するインターフェイスであり、制御部１１からの制御信号をスピーカ３２、キャッシャー３３、投光部３４に送信するとともに、スピーカ３２、キャッシャー３３、投光部３４からの信号等を制御部１１に出力する。
【００３９】
スピーカ３２は、Ｉ／Ｏユニット３１を介して制御部１１から入力されるガイド用アナウンスの音声信号を出力する。
【００４０】
キャッシャー３３は、硬貨や紙幣の入金口、釣銭の返金口等を備えた金銭登録機である。キャッシャー３３は、入金口から入金された金額を検出して釣銭の金額を算出し、算出された釣銭金額分の硬貨又は紙幣を返金口に排出して料金精算を行う。
【００４１】
投光部３４は、制御部１１から指示された発光タイミング、発光量で発光を行う。
【００４２】
次にこのような構成からなる本実施の形態の作用について図５により説明する。
【００４３】
まず被撮影者Ｐが筐体２０内に入ると、検知センサ１３により被撮影者Ｐが検出される。このとき、モニタ１５上にガイダンスが表示される。同時にスピーカ３２から撮影ガイドに係るアナウンス音声が出力される。
【００４４】
次いで、キャッシャー３３へ、料金が投入され、キャッシャー３３において入金された金額のチェックが行われ、モニタ１５上に写真種類を選択するための選択画面が表示される。
【００４５】
以下、図５に示すように、モニタ１５に表示されたガイダンスに沿って撮影作業が行なわれる。この場合、カメラ１２は筐体２０内の第１領域２３Ａに配置され、モニタ１５は右側の第２領域２３Ｂに配置されている（図３参照）。
【００４６】
まず被撮影者Ｐはモニタ１５上で所望のテンプレート（撮影デザイン）を選択する。この場合、記憶部１６内に予め図８に示すようなテンプレート１〜４を含むテンプレート表が内蔵されている。テンプレート１〜４は画像ショットの数に関する情報を含んでおり、このうちテンプレート１〜３は単一のショット数をもち、テンプレート４は複数のショット数をもつ。
【００４７】
次に被撮影者Ｐはモニタ上でテンプレート１〜４のうち、例えばテンプレート１を選択する。
【００４８】
テンプレート１は例えば前景４０ａ（図６（ａ））と、後景４０ｂ（図６（ｃ））とを含み、制御部１１はこれら前景４０ａおよび後景４０ｂと、カメラにより撮影された撮影画像４０ｃとをとを合成して合成画像４１を生成する（図７参照）。
【００４９】
またテンプレート１は単一のショット数をもつ。さらにテンプレート１は被撮影者Ｐが右側の第２領域２３Ｂにあるモニタ１５を見たときに最適となる前景４０ａおよび後景４０ｂを有している。このためモニタ１５は、ガイドレール１５Ａに沿って移動することなく、図３および図４に示す位置に留まる。
【００５０】
なお、テンプレート２を選択した場合は、テンプレート２は被撮影者Ｐが左側の第２領域２３Ｂにあるモニタ１５を見たときに最適となる前景４０ａおよび後景４０ｂを有する。この場合は、右側の第２領域２３Ｂにあるモニタ１５が、制御部１１により制御される駆動機構により駆動され、ガイドレール１５Ａに沿って左方へ移動し、左側の第２領域２３Ｂに達する。
【００５１】
次に制御部１１によりモニタ１５を作動させ、モニタ１５にカメラ１２で撮影している画像が表示される。このときモニタ１５に表示される画像はカメラ１２に対して横を向いたり、カメラ１２から視線を外す姿勢をとった場合の被撮影者Ｐの画像となり、被撮影者Ｐはこのモニタ１５に表示された自分の画像を確認することができる。
【００５２】
次に制御部１１は、自動的にシャッタを切って、カメラ１２により撮影された画像から１コマ毎の画像ショットを生成する。
【００５３】
この場合、制御部１１が自動的にシャッタを切ることなく、被撮影者Ｐ自身がモニタ１５に表示されたシャッタを切るようにしてもよい。
【００５４】
このようにしてテンプレート１を選択した場合の撮影作業が終了する。
【００５５】
他方、テンプレート１〜４のうち、テンプレート４を選択した場合は、テンプレート４は複数の画像ショットの数、すなわち画像ショット数をもつため、上述の作業を複数の画像ショットを生成するまで続ける。
【００５６】
以上のように本実施の形態によれば、筐体２０内の被撮影者Ｐが横を向いたり、カメラ１２から視線を外すような姿勢をとった場合でも、カメラ１２で撮影している画像をリアルタイムで容易に確認することができる。
【００５７】
なお、上記実施の形態において、ガイドレール１２Ａに沿って移動可能なカメラ１２と、ガイドレール１５Ａに沿って移動可能なモニタ１５とを設けた例を示したが、これに限らず、第１領域２３Ａにカメラ１２とモニタ１５を各々固定して設置し、これに加えて第２領域２３Ｂに追加のカメラと追加のモニタを固定して設置してもよい。
【００５８】
さらにまた筐体２０内に複数のモニタ１５を設置するとともに、被撮影者Ｐがテンプレート４を選択した場合、テンプレート４は複数の画像ショット数をもつことになるが、この場合、各画像ショット毎にどちらのモニタ１５をみるか更に選択することもできる。
【００５９】
また、筐体２０内に複数のモニタ１５を設置するとともに、複数の画像ショット数をもつテンプレートを選択した場合、各画像ショットの形状が小さい場合は、いずれか一方のモニタ１５に通常画像を表示するとともに、他方のモニタ１５に撮影領域のみを拡大して表示してもよい。
【００６０】
さらにまた筐体２０内に複数のモニタ１５を設置するとともに、一方のモニタ１５を画像表示用モニタとして用いた場合、使用していない他のモニタ１５を操作パネルとして用いて、他方のモニタ１５にガイダンス等を表示してもよい。この場合、一方のモニタ１５にデザイン全体の画像を表示するとともに、他方のモニタ１５には撮影領域のみを表示することもできる。
【００６１】
さらにまた図３および図４において、カメラ１２とモニタ１５を各々ガイドレール１２Ａ，１５Ａに沿って移動させ、カメラ１２とモニタ１５を筐体２０の第１領域２３Ａにもってきてもよい。この場合、被撮影者Ｐはカメラ１２に正対し、カメラ１２で撮影した画像がモニタ１５に表示される。被撮影者Ｐはこのモニタ１５をみてカメラ１２に正対する画像を確認することができる。
【符号の説明】
【００６２】
１  撮影システム
１１  制御部
１２  カメラ
１２Ａ  ガイドレール
１３  検知センサ
１５  モニタ
１５Ａ  ガイドレール
１６  記憶部
１７  プリンタ
１７ａ  取出口
２０  筐体
２１  底板
２２  天板
２３  側板
３１  Ｉ／Ｏユニット
３２  スピーカ
３３  キャッシャー
３４  投光部
【図１】
2018180189.tif 000003
【図２】
2018180189.tif 000004
【図３】
2018180189.tif 000005
【図４】
2018180189.tif 000006
【図５】
2018180189.tif 000007
【図６】
2018180189.tif 000008
【図７】
2018180189.tif 000009
【図８】
2018180189.tif 000010